(57)【特許請求の範囲】
【請求項１】
横方向と、前記横方向と交差する縦方向とを有し、
液体を吸収する吸収体と、使用者の肌側から前記吸収体を覆う表面層と、使用者の非肌側から前記吸収体を覆う裏面層とを有する吸収性物品であって、使用時に前記吸収性物品を下着に貼付する粘着部を前記裏面層に有する吸収性物品と、
前記吸収性物品を包装する包装シートであって、前記吸収性物品を包装する側の面に香料が付着した賦香部を有する包装シートと、
前記賦香部と前記粘着部の間に設けられ、前記粘着部に対して剥離可能に貼付されたセパレーターと、
を備え、
前記セパレーターと前記包装シートの間には、前記セパレーターと前記包装シートとを接着する接着部が設けられており、
前記吸収性物品が前記包装シートによって包装された状態において、前記賦香部は、前記粘着部及び前記接着部と接触しない領域を有し、
前記横方向において、前記接着部は前記粘着部よりも内側に設けられており、
前記横方向において、前記賦香部は、前記接着部よりも外側且つ前記粘着部よりも内側の領域にも設けられていることを特徴とする吸収性物品包装体。
【請求項２】
請求項１に記載の吸収性物品包装体であって、
前記包装シートは、前記横方向に沿った折り目を基点として前記吸収性物品を包装する側の面が内側になるように前記縦方向に折り畳まれ、
前記包装シートの前記横方向の両端部には、折り畳まれた前記包装シート同士を前記縦方向に沿ってシールするシール領域が形成され、
前記賦香部は、前記包装シートにおいて、前記粘着部と対向する領域と、前記シール領域が形成される領域との間に形成される、ことを特徴とする吸収性物品包装体。
【請求項３】
請求項２に記載の吸収性物品包装体であって、
前記賦香部は、前記吸収性物品の前記横方向の端部と、前記シール領域が形成される領域との間に形成される、ことを特徴とする吸収性物品包装体。
【請求項４】
請求項３に記載の吸収性物品包装体であって、
前記賦香部は、前記横方向に所定の長さを有しつつ、前記縦方向に沿って形成される、ことを特徴とする吸収性物品包装体。
【請求項５】
請求項２〜４のいずれかに記載の吸収性物品包装体であって、
前記賦香部は、前記包装シートが前記折り目を基点として折り曲げられた状態において、対向する前記包装シートの間に挟まれた領域に形成される、ことを特徴とする吸収性物品包装体。
【請求項６】
請求項２〜５のいずれかに記載の吸収性物品包装体であって、
前記縦方向及び前記横方向と交差する厚さ方向を有し、
前記吸収性物品包装体が折り畳まれた状態において、前記厚さ方向の外側よりも前記厚さ方向の内側の方が前記包装シートの単位面積当たりに付着する香料の量が多い、ことを特徴とする吸収性物品包装体。
【請求項７】
請求項１〜６のいずれかに記載の吸収性物品包装体であって、
前記包装シートは、フィルムもしくはＳＭＳ不織布によって形成されている、ことを特徴とする吸収性物品包装体。
【請求項８】
請求項１〜７のいずれかに記載の吸収性物品包装体であって、
前記接着部に塗布される接着剤の目付量は、前記粘着部に塗布される接着剤の目付量よりも大きい、ことを特徴とする吸収性物品包装体。
【発明の詳細な説明】
【技術分野】
【０００１】
本発明は、吸収性物品包装体に関する。
【背景技術】
【０００２】
生理用ナプキン等の吸収性物品を折り畳んだ状態で包装シートによって個別に包装した吸収性物品包装体（以下、生理用ナプキン包装体とも呼ぶ）がある。このような生理用ナプキン包装体の所定の部分に香りを付する（賦香する）ことにより、使用者にリラックス感を与えたり気分転換をさせたりする方法が知られている。例えば、特許文献１では、生理用ナプキンと包装シートとの間に設けられた剥離シート（セパレーター）に香料を塗布することにより、生理用ナプキン包装体に賦香する技術が開示されている。
【先行技術文献】
【特許文献】
【０００３】
【特許文献１】特開２００７−２５２８８６号
【発明の概要】
【発明が解決しようとする課題】
【０００４】
生理用ナプキン包装体に賦香する方法として、例えばセパレーターが設けられない場合等には包装シートに香料を塗布することが考えられる。このとき、包装シートの外面側に香料が塗布されていると、外部に香りが移りやすくなる場合がある。例えば、使用者が生理用ナプキン包装体を鞄等に入れて搬送する際に鞄に香りが移ってしまうおそれがある。そのため、包装シートを賦香する場合は、包装シートの内面側に香料が塗布されることが望ましい。
【０００５】
ただし、このような吸収性物品（例えば生理用ナプキン）では、ナプキン使用時において使用者の下着に当該ナプキンを貼付して位置ずれを生じにくくするための粘着部が形成されている場合が多い。このような生理用ナプキンの粘着部と包装シートの内面側に塗布された香料とが接触すると、香料のオイル分の影響により、粘着部の粘着性が低下して下着から剥がれやすくなったり、粘着剤が下着側に付着したりする等の問題を生じるおそれがある。
【０００６】
本発明は、上記のような問題に鑑みてなされたものであって、その目的とするところは、粘着部の粘着性を低下させることなく、かつ、外部に香りが移りにくいように包装シートが賦香された吸収性物品包装体を提供することにある。
【課題を解決するための手段】
【０００７】
上記目的を達成するための主たる発明は、横方向と、前記横方向と交差する縦方向とを有し、
液体を吸収する吸収体と、使用者の肌側から前記吸収体を覆う表面層と、使用者の非肌側から前記吸収体を覆う裏面層とを有する吸収性物品であって、使用時に前記吸収性物品を下着に貼付する粘着部を前記裏面層に有する吸収性物品と、
前記吸収性物品を包装する包装シートであって、前記吸収性物品を包装する側の面に香料が付着した賦香部を有する包装シートと、
前記賦香部と前記粘着部の間に設けられ、前記粘着部に対して剥離可能に貼付されたセパレーターと、
を備え、
前記セパレーターと前記包装シートの間には、前記セパレーターと前記包装シートとを接着する接着部が設けられており、
前記吸収性物品が前記包装シートによって包装された状態において、前記賦香部は、前記粘着部及び前記接着部と接触しない領域を有し、
前記横方向において、前記接着部は前記粘着部よりも内側に設けられており、
前記横方向において、前記賦香部は、前記接着部よりも外側且つ前記粘着部よりも内側の領域にも設けられていることを特徴とする吸収性物品包装体である。
本発明の他の特徴については、本明細書及び添付図面の記載により明らかにする。
【発明の効果】
【０００８】
本発明によれば、粘着部の粘着性を低下させることなく、かつ、外部に香りが移りにくいように包装シートが賦香された吸収性物品包装体を提供することができる。
【図面の簡単な説明】
【０００９】
【図１】生理用ナプキン包装体１の構成を説明する分解斜視図である。
【図２】図１のＡ−Ａ断面について表した概略断面図である。
【図３】折り畳まれた状態の生理用ナプキン包装体１について説明する図である。
【図４】セパレーター３０が設けられていない場合に賦香部２５が形成される領域について説明する平面図である。
【図５】図５Ａは、実際に形成される賦香部２５の具体例について表す図である。図５Ｂは、図５Ａを変形した例について表す図である。
【図６】図６は、セパレーター３０が設けられている場合に賦香部２５が形成される領域について説明する平面図である。
【図７】図７Ａは、セパレーター３０が設けられている場合に実際に形成される賦香部２５の具体例について表す図である。図７Ｂは、図７Ａを変形した例について表す図である。
【図８】図８Ａ及び図８Ｂは、生理用ナプキン１０の変形例について説明する図である。
【図９】図９Ａ〜図９Ｄは、変形例の場合の生理用ナプキン包装体１の折り畳み方の一例について説明する図である。
【図１０】変形例でセパレーター３０が設けられていない場合に実際に形成される賦香部２５の具体例について説明する図である。
【図１１】変形例でセパレーター３０が設けられている場合に実際に形成される賦香部２５の具体例について説明する図である。
【図１２】図９ＤのＢ−Ｂ断面について表した概略断面図である。
【発明を実施するための形態】
【００１０】
本明細書及び添付図面の記載により、少なくとも以下の事項が明らかとなる。
液体を吸収する吸収体と、使用者の肌側から前記吸収体を覆う表面層と、使用者の非肌側から前記吸収体を覆う裏面層とを有する吸収性物品であって、使用時に前記吸収性物品を下着に貼付する粘着部を前記裏面層に有する吸収性物品と、前記吸収性物品を包装する包装シートであって、前記吸収性物品を包装する側の面に香料が付着した賦香部を有する包装シートと、を備え、前記吸収性物品が前記包装シートによって包装された状態において、前記粘着部は、前記賦香部と接触しない領域を有する、ことを特徴とする吸収性物品包装体。
【００１１】
このような吸収性物品包装体によれば、吸収性物品の粘着部の粘着性を低下させることなく、かつ、外部に香りが移りにくくなるように、包装シート部分に香りを付することができる。
【００１２】
かかる吸収性物品包装体であって、横方向と、前記横方向と交差する縦方向とを有し、前記包装シートは、前記横方向に沿った折り目を基点として前記吸収性物品を包装する側の面が内側になるように前記縦方向に折り畳まれ、前記包装シートの前記横方向の両端部には、折り畳まれた前記包装シート同士を前記縦方向に沿ってシールするシール領域が形成され、前記賦香部は、前記包装シートにおいて、前記粘着部と対向する領域と、前記シール領域が形成される領域との間に形成される、ことが望ましい。
【００１３】
このような吸収性物品包装体によれば、賦香部が粘着部及びシール領域と接触しにくくなり、粘着部の粘着性低下やシール領域のシール強度が不足することが抑制される。また、賦香部が包装シートの内側に折り込まれることにより、香りが外部に移ることを抑制しやすくなる。
【００１４】
かかる吸収性物品包装体であって、前記賦香部は、前記吸収性物品の前記横方向の端部と、前記シール領域が形成される領域との間に形成される、ことが望ましい。
【００１５】
このような吸収性物品包装体によれば、賦香部と粘着部との間に横方向のクリアランスを設けることができる。クリアランスがあることにより、賦香部を形成する際にその形成位置が横方向に多少ずれたとしても、賦香部と粘着部とが接触しにくくなる。
【００１６】
かかる吸収性物品包装体であって、前記賦香部は、前記横方向に所定の長さを有しつつ、前記縦方向に沿って形成される、ことが望ましい。
【００１７】
このような吸収性物品包装体によれば、吸収性物品包装体の製造工程において、縦方向（搬送方向）に沿って搬送される包装シートに対してインクジェットノズル等を用いて香料インクを吐出することで、香料を付着させやすくなり、効率的に賦香部を形成することができる。
【００１８】
かかる吸収性物品包装体であって、前記賦香部は、前記包装シートが前記折り目を基点として折り曲げられた状態において、対向する前記包装シートの間に挟まれた領域に形成される、ことが望ましい。
【００１９】
このような吸収性物品包装体によれば、賦香部が包装シートによって覆われた状態となるため、賦香部に付着している香料の成分が吸収性物品包装体の外部に漏れることを抑制しやすくなる。
【００２０】
かかる吸収性物品包装体であって、前記縦方向及び前記横方向と交差する厚さ方向を有し、前記吸収性物品包装体が折り畳まれた状態において、前記厚さ方向の外側よりも前記厚さ方向の内側の方が前記包装シートの単位面積当たりに付着する香料の量が多い、ことが望ましい。
【００２１】
このような吸収性物品包装体によれば、吸収性物品包装体の外部に近い位置ほど香料の濃度が薄くなり、吸収性物品包装体の外部から遠い位置（すなわち厚さ方向の内側）ほど香料の濃度が高くなるため、吸収性物品包装体の外部に香りが漏れにくくなり、鞄等に香りが移ることを抑制しやすくなる。
【００２２】
かかる吸収性物品包装体であって、前記賦香部と前記粘着部の間には、前記粘着部に対して剥離可能に貼付されたセパレーターが設けられ、前記セパレーターと前記包装シートの間には、前記セパレーターと前記包装シートとを接着する接着部が設けられる、ことが望ましい。
【００２３】
このような吸収性物品包装体によれば、セパレーターによって、賦香部と粘着部とが直接接触することが抑制される。また、セパレーターは包装シートに接着されているため、ナプキンを使用する際には、ナプキンから包装シートを剥がすだけでセパレーターも一緒に取り除くことができる。
【００２４】
かかる吸収性物品包装体であって、前記吸収性物品が前記包装シートによって包装された状態において、前記賦香部は、前記接着部と接触しない領域を有する、ことが望ましい。
【００２５】
このような吸収性物品包装体によれば、賦香部を形成する香料のオイル分と接着部の接着剤とが接触することに起因して当該接着部の接着強度が弱くなることが抑制される。これにより、包装シートからセパレーターが剥がれる等の問題が生じることを抑制しやすくなる。
【００２６】
かかる吸収性物品包装体であって、前記包装シートは、フィルムもしくはＳＭＳ不織布によって形成されている、ことが望ましい。
【００２７】
このような吸収性物品包装体によれば、香料の粒子を透過させにくい性質を有するフィルムや、ＳＭＳ不織布のメルトブローン層によって、包装シートの内側に付着している香料が外側に移動することが抑制される。したがって、吸収性物品包装体の外部に賦香部から香りが移ることを抑制しやすくなる。
【００２８】
＝＝＝実施形態＝＝＝
＜生理用ナプキン包装体の構成＞
吸収性物品が個別に包装された個装体の一例として、生理用ナプキン包装体１について説明する。なお、以下の説明では吸収性物品の例として生理用ナプキンについて説明するが、本実施形態の吸収性物品には、所謂おりものシート（例えばパンティライナー）等も含まれており、生理用ナプキンに限定されるものではない。図１は、生理用ナプキン包装体１の構成を説明する分解斜視図である。図２は、図１のＡ−Ａ断面について表した概略断面図である。図３は、折り畳まれた状態の生理用ナプキン包装体１について説明する図である。
【００２９】
生理用ナプキン包装体１は、生理用ナプキン１０と、包装シート２０と、セパレーター３０とを有する。以下の説明では、図１に示すように、各方向を定義する。すなわち、生理用ナプキン１０の製品長手方向に沿った方向を「縦方向」とする。縦方向は「前側」と「後側」を有する。この「前側」は生理用ナプキン１０の使用時において使用者の腹側となる方向であり、「後側」は生理用ナプキン１０の使用時において使用者の背側となる方向である。また、縦方向と直交する方向、すなわち製品幅方向に沿った方向を「横方向」とする。また、縦方向及び横方向と直交する方向を「厚さ方向」とし、生理用ナプキン１０の着用時に着用者の肌と当接する側（図１において上側）を「肌側」、その逆側（図１において下側）を「非肌側」とする。
【００３０】
図１に示されるように、生理用ナプキン包装体１は、厚さ方向の非肌側から順に包装シート２０、セパレーター３０、生理用ナプキン１０が重ねて配置されている。そして、この状態で、生理用ナプキン１０を内側にして折り畳むことにより、図３に示されるように生理用ナプキン１０が折り畳まれて個別に包装された状態の生理用ナプキン包装体１が形成される。なお、セパレーター３０は必須の構成要素ではなく、生理用ナプキン１０及び包装シート２０によって生理用ナプキン包装体１が構成されるのであっても良い。
【００３１】
（生理用ナプキン１０）
生理用ナプキン１０（以下、単に「ナプキン１０」とも呼ぶ）は、液体を吸収する吸収体１１と、使用者の肌側から吸収体１１を覆う表面層１２と、使用者の非肌側から吸収体１１を覆う裏面層１３とを有する（図２参照）。
【００３２】
吸収体１１は、縦方向に沿って長い縦長の部材であり、親水性繊維やパルプ等を含み、体液等の液体を効率的に吸収・保持することができる。吸収体１１は、親水性繊維又は紛体をエアレイド法によって積層して形成されても良いし、親水性繊維又は紛体をエアレイド法によってシート状に成形したエアレイドシートであっても良い。
【００３３】
表面層１２は、体液等の液体を透過させる液透過性のシート部材であり、例えば不織布によって形成される。ただし、液体を透過する構造のシート部材であり、かつ、ナプキン１０の使用時において使用者の肌と当接する際に安全な部材であれば特に材料の制限はない。例えば、織布やメッシュシートであっても良い。表面層１２は縦方向及び横方向において吸収体１１よりも大きく、吸収体１１の全領域を覆うことができる。
【００３４】
裏面層１３は、非液透過性のシート部材であり、例えばポリエチレンやプロピレン等を主体としたフィルム、通気性の樹脂フィルム、スパンボンド、又はスパンレース等の不織布に通気性の樹脂フィルムが接合されたシートなどによって形成される。裏面層１３が非液透過性であることから、ナプキン１０の使用時において表面層１２を透過して吸収体１１によって吸収された液体が下着等の着衣側（非肌側）に染み出すことが抑制される。裏面層１３は、表面層１２とほぼ同一の形状であり、ナプキン１０の使用時において使用者に違和感を生じさせない程度の柔軟性を有することが望ましい。
【００３５】
また、裏面層１３の厚さ方向の非肌側には粘着部１３１が形成されている。粘着部１３１は、ナプキン１０の使用時においてナプキン１０を使用者の下着に貼付して位置がずれないようにする機能を有する部位である。粘着部１３１は、裏面層１３の所定の領域にホットメルト接着剤（以下、ＨＭＡとも呼ぶ）等の接着剤を塗布することによって形成される。粘着部１３１を形成するＨＭＡは、ナプキン１０の使用時においては、貼付部分が簡単に剥がれたり位置がずれたりしない程度に、また、ナプキン１０の使用後おいては、下着から取り外した際に下着側にＨＭＡが残らない（つまり、糊残りが生じない）程度の目付量で塗布されている。本実施形態において粘着部１３１は、吸収体１１の形状に合わせて横方向に所定の幅を有しつつ縦方向に沿って縦長に形成された略長方形の形状であるが（後述する図４参照）、粘着部１３１の形状はこの限りではない。例えば、縦方向に沿って細い帯状に塗布されたＨＭＡが、横方向に複数並ぶことにより粘着部１３１が形成されるのであっても良い。
【００３６】
ナプキン１０は、吸収体１１を厚さ方向に挟み込んだ状態で表面層１２と裏面層１３との周縁を接合することにより形成される。
【００３７】
（包装シート２０）
包装シート２０は、ナプキン１０を個別に包装するシート状の包装部材であり、ナプキン１０の使用時には取り外される部材である。包装シート２０は、ナプキン１０を包装する側の面、すなわち、包装時にナプキン１０と対向する側の面である包装面２１と、包装面２１と反対側の面である外面２２とを有する（図２参照）。包装シート２０の材料としては、例えば、プラスチックフィルム、ナイロンフィルム等の各種フィルムや、不織布、不織布をラミネート加工したフィルム等が用いられる。
【００３８】
本実施形態の包装シート２０は矩形状であり、ナプキン１０を折り畳む際には（図２参照）、当該ナプキン１０の全体を覆うことが可能な程度の大きさを有する。また、包装面２１の所定の領域には香料が付着した賦香部２５が設けられる。賦香部２５の詳細については後で説明する。
【００３９】
（セパレーター３０）
セパレーター３０は、生理用ナプキン１０の裏面層１３に形成された粘着部１３１と、包装シート２０の包装面２１との間に配置されるシート部材である（図２参照）。セパレーター３０は、ナプキン１０の裏面層１３と当接する面である剥離面３１と、剥離面３１の反対側の面であり、接着部４１を介して包装シート２０の包装面２１と当接する面である接着面３２とを有する。
【００４０】
剥離面３１は、シリコン樹脂等を用いて剥離加工が施されており、ナプキン１０の粘着部１３１に対して剥離可能に貼付されている。剥離加工については公知であるため説明を省略する。一方、接着面３２は接着部４１を介して包装シート２０の包装面２１と接着されている。接着部４１はセパレーター３０及び包装シート２０のうち少なくとも一方の所定の領域にホットメルト接着剤（ＨＭＡ）等の接着剤を塗布することによって形成される。接着部４１はセパレーター３０と包装シート２０とが容易には剥がれない程度の目付量で塗布される。
【００４１】
ナプキン１０の粘着部１３１と包装シート２０の包装面２１との間にセパレーター３０が配置されることにより、ナプキン１０の使用前において粘着部１３１を形成する接着剤（例えばＨＭＡ）が包装シート２０に付着することや、粘着部１３１の粘着性が弱くなることが抑制されると共に、粘着部１３１が保護される。そして、ナプキン１０を使用する際には、ナプキン１０から包装シート２０を引き剥がすことにより、包装シート２０に接着されたセパレーター３０を包装シート２０と共に離脱させ、粘着部１３１を簡単に露出させることができる。
【００４２】
なお、包装シート２０の包装面２１が剥離加工されている等、ナプキン１０の粘着部１３１に対して包装シート２０の包装面２１を剥離可能に貼付することができる場合には、必ずしもセパレーター３０が設けられていなくても良い。
【００４３】
図１に示されるように、生理用ナプキン包装体１には、横方向に沿った第１折り目Ｆ１及び第２折り目Ｆ２が設けられている。第１折り目Ｆ１は、ナプキン１０の縦方向の中央よりも後側に配置されており、当該第１折り目Ｆ１を基点として包装シート２０、セパレーター３０、及び、生理用ナプキン１０が一緒に折り曲げられる。第２折り目Ｆ２は、ナプキン１０の縦方向の中央よりも前側に配置されており、当該第２折り目Ｆ２を基点として包装シート２０、セパレーター３０、及び、生理用ナプキン１０が一緒に折り曲げられる。また、包装シート２０の縦方向の端縁部について、縦方向前側端部を２０ｅａ、縦方向後側端部を２０ｅｂとする。
【００４４】
図３は、折り畳まれた状態の生理用ナプキン包装体１を表す図である。生理用ナプキン包装体１は、第１折り目Ｆ１及び第２折り目Ｆ２の順に表面層１２が内側となるように縦方向に折り畳まれることにより、図３に示されるようにナプキン１０が包装シート２０によって覆われた状態となる。この状態で、包装シート２０の横方向両端部が縦方向に沿ってシールされ、シール領域２７が形成される。シール領域２７は、超音波溶着や熱溶着等の公知のシール手段を用いて形成される。これにより、折り畳まれた包装シート２０同士が横方向両端部にて接合され、生理用ナプキン包装体１は図３のように折り畳まれた状態で維持される。また、包装シート２０の横方向中央部には、縦方向前側端部２０ｅａを跨ぐように固定テープ２８が貼付される。固定テープ２８は包装シート２０の外面２２に対して剥離可能に貼付されており、これにより、ナプキン１０の使用前に包装シート２０が剥がれたり、生理用ナプキン包装体１が展開してしまったりすることが抑制される。
【００４５】
使用者がナプキン１０を使用する際には、まず、固定テープ２８を剥がし、シール領域２７によってシールされている部分を引き剥がすようにして生理用ナプキン包装体１を展開する。その後、ナプキン本体１０に対して包装シート２０を厚さ方向の反対側に引っ張ることにより、ナプキン１０から包装シート２０及びセパレーター３０を離脱させる。これにより、ナプキン１０の裏面層１３及び粘着部１３１が露出し、ナプキン１０が使用可能な状態となる。
【００４６】
＜賦香部２５について＞
本実施形態では、包装シート２０の所定の領域に香料を付着させた（賦香した）賦香部２５が設けられ、賦香された包装シート２０によってナプキン１０を包装することにより、ナプキン１０に香りを付加することができる。すなわち、ナプキン１０に直接香料が付着していない、安全な香り付きナプキンを提供することができる。
【００４７】
生理用ナプキン包装体１において、包装シート２０の外面２２側に賦香部２５が設けられるとすると、折り畳まれた状態の生理用ナプキン包装体１の外側表面に香料が付着していることになる。この場合、生理用ナプキン包装体１を鞄等に入れて運搬する際に、表面の香りが鞄に移りやすくなったり、使用者が生理用ナプキン包装体１を使用する際に手に香りが移りやすくなったりするおそれがある。また、香料の成分が揮発しやすくなるおそれがある。
【００４８】
そこで、本実施形態では、包装シート２０の包装面２１側に賦香部２５が設けられる。生理用ナプキン包装体１が折り畳まれた状態（図３の状態）において、包装シート２０の内面側（包装面２１側）に賦香部２５が設けられることにより、外部に香りが移りにくくなり、また、香料成分の揮発を抑制しやすくなる。なお、包装シート２０に賦香する（香料を付着させる）方法としては、例えば、インクジェットプリンター等の液体吐出装置を用いて香料を含む液体（例えば香料インク）を包装シート２０の表面に塗布する方法が挙げられる。
【００４９】
一方、包装シート２０の包装面２１側に賦香部２５を設ける場合、包装面２１のうち実際に香料を付着させる領域について注意を要する。上述したように、包装シート２０の包装面２１は、少なくとも一部の領域において、ナプキン１０の裏面層１３に形成された粘着部１３１や、セパレーター３０との間に設けられた接着部４１と接触する可能性がある。粘着部１３１や接着部４１にはＨＭＡ等の接着剤が塗布されているが、このＨＭＡが賦香部２５の香料と接触すると、ＨＭＡを構成する樹脂と香料に含まれるオイル成分とが反応してＨＭＡの接着強度を低下させ、ナプキン１０をしっかりと下着に貼付することができなくなったり、ナプキン１０の使用前にセパレーター３０が接着部４１から剥がれてしまったりするおそれがある。また、ＨＭＡが粘着部１３１から離脱して下着に付着する「糊残り」が生じ、下着を汚してしまうおそれもある。
【００５０】
また、生理用ナプキン包装体１を折り畳む際に包装シート２０の横方向両端部に形成されるシール領域２７（図３参照）に賦香部２５の香料が付着していると、超音波溶着等を行う際に十分な溶着強度が得られなくなるおそれがある。
【００５１】
したがって、本実施形態では、包装シート２０の包装面２１において、粘着部１３１や接着部４１及びシール領域２７と接触しにくい領域に、賦香部２５が形成される。
【００５２】
図４は、セパレーター３０が設けられていない場合に賦香部２５が形成される領域について説明する平面図である。生理用ナプキン包装体１にセパレーター３０が設けられていない場合、ナプキン１０の粘着部１３１が包装シート２０の包装面２１と直接接触する状態となる。この場合、包装シート２０の包装面２１において、賦香部２５は粘着部１３１と接触しない領域を有するように形成する必要がある。言い換えると、粘着部１３１は賦香部２５と接触しない領域を有する必要がある。さらに、包装シート２０の横方向両端部はシール領域２７が形成される部分であるため、賦香部２５はシール領域２７とも接触しない領域を有するように形成される。図４の例では、展開された状態の生理用ナプキン包装体１において中央部付近の斜線部で示される長方形の領域に粘着部１３１が形成され、包装シート２０の横方向両端部の網掛け部で示される領域にシール領域２７が形成される。したがって、賦香部２５は、少なくとも図４の斜線部及び網掛け部で示された領域と重複しない領域を有するように形成される。
【００５３】
図５Ａは、実際に形成される賦香部２５の具体例について表す図である。図５Ａでは、包装シート２０の包装面２１において、粘着部１３１と対向する領域と、シール領域２７が形成される領域との間に、斜線部で表示される賦香部２５が形成される。同図５Ａで表されるように、賦香部２５は横方向に幅Ｈ１を有し、縦方向に沿って伸びた縦長の帯状領域である。賦香部２５が縦長の帯状に形成されるのは、生理用ナプキン包装体１の製造工程において包装シート２０に対して効率的に香料を付着させるためである。生理用ナプキン包装体１の製造工程では、包装シート２０の原材料である不織布等のシート部材が縦方向に連続的に連なった状態で搬送ライン上を搬送方向（縦方向に沿った方向）に搬送される。この搬送されるシート部材に対して、搬送方向と交差する交差方向に沿って配置された複数のインクジェットノズルから香料が吐出される。各ノズルから吐出された香料は搬送されるシート部材上にそれぞれ着弾し、交差方向に所定の幅（ここではＨ１）を有し搬送方向（縦方向）に沿った帯状の賦香部２５を形成する。
【００５４】
図５Ｂは、図５Ａを変形した例について表す図である。図５Ｂにおいて、賦香部２５は横方向に幅Ｈ２を有する斜線部で表示される領域である。Ｈ２はＨ１よりも狭く（Ｈ１＞Ｈ２）、図５Ｂでは、ナプキン１０の横方向端部の位置とシール領域２７との間に挟まれた領域である。上述したように、本実施形態の賦香部２５は、生理用ナプキン包装体１の製造工程において搬送される包装シート２０（シート部材）にインクジェット等の方法により香料を塗布することによって形成される。包装シート２０が搬送される過程で蛇行が生じて交差方向（横方向）の位置がずれると、賦香部２５の横方向の位置がずれて形成され、賦香部２５と粘着部１３１とが重複しやすくなるおそれがある。また、ナプキン１０の粘着部１３１に包装シート２０を重ね合わせる工程において横方向の位置がずれてしまうことも考えられる。そこで、図５Ｂでは、賦香部２５と粘着部１３１との間に横方向のクリアランスを設け、賦香部２５が形成される位置が多少ずれたとしても粘着部１３１と接触しにくくなるようにしている。
【００５５】
なお、賦香部２５は必ずしも縦長の帯状である必要はない。例えば、図４において、粘着部１３１及びシール領域２７以外の全ての領域に賦香部２５が形成されるのであっても良いし、賦香部２５が横長の帯状に形成されるのであっても良い。また、賦香部２５を形成する香料は、所謂「ベタ塗り」された状態である必要はなく、ドット状や線状に香料が付着され、そのようなドットや線が複数集合することにより賦香部２５が形成されるのであっても良い。この場合、単位面積あたりに付着させる香料の量を調節しやすくなるため、生理用ナプキン包装体１において領域毎に香りの強さを調整すること等が可能となる。
【００５６】
次に、図６は、セパレーター３０が設けられている場合に賦香部２５が形成される領域について説明する平面図である。生理用ナプキン包装体１にセパレーター３０が設けられている場合、ナプキン１０の粘着部１３１と包装シート２０の包装面２１との間にはセパレーター３０が介在するため、粘着部１３１と賦香部２５とが直接接触する可能性は低い。一方で、セパレーター３０と包装シート２０の包装面２１との間には接着部４１が設けられるため、賦香部２５は接着部４１と接触しない領域を有するように形成する必要がある。図６の例では、展開された状態の生理用ナプキン包装体１において斜線部で示される複数の矩形状の領域によって接着部４１が形成され、包装シート２０の横方向両端部の網掛け部で示される領域にシール領域２７が形成される。したがって、賦香部２５は、少なくとも図６の斜線部及び網掛け部で示された領域と重複しない領域を有するように形成される。
【００５７】
図７Ａは、セパレーター３０が設けられている場合に実際に形成される賦香部２５の具体例について表す図である。図７Ａでは、包装シート２０の包装面２１において、接着部４１とシール領域２７との間の斜線部で表示される領域に賦香部２５が形成されている。同図７Ａで表されるように、賦香部２５は横方向に幅Ｈ３を有し、縦方向に沿って伸びた縦長の帯状領域である。Ｈ３の長さは接着部４１の横方向長さに応じて決定される。接着部４１の大きさは接着剤を塗布する際の目付量を大きくすることで粘着部１３１よりも面積を小さく形成することができる。そのため、図７Ａのように接着部４１の横方向の長さは粘着部１３１の横方向の長さよりも狭くすることが可能である。この場合、Ｈ３＞Ｈ１となるので、図５Ａの場合と比較して賦香部２５を大きく取ることができる（図５Ａ及び図７Ａ参照）。すなわち、セパレーター３０が設けられることにより、賦香部２５の形成可能範囲を広くすることができる。
【００５８】
また、図７Ｂは、図７Ａを変形した例について表す図である。図５Ｂの場合と同様に、賦香部２５はナプキン１０の横方向端部の位置と、シール領域２７との間に挟まれた領域に形成される。図７Ｂで、賦香部２５は横方向の幅Ｈ２を有し、縦方向に沿って伸びた縦長の帯状領域である。Ｈ２はＨ３よりも狭く（Ｈ３＞Ｈ２）、賦香部２５と接着部４１との間の横方向のクリアランスが大きくなるため、賦香部２５の形成位置が多少ずれたとしても接着部４１と賦香部２５とが接触しにくくなる。
【００５９】
賦香部２５をこのように形成することにより、粘着部１３１または接着部４１と賦香部２５とが接触しにくくなり、粘着部１３１（接着部４１）の粘着性が低下することが抑制される。また、賦香部２５は包装シート２０の包装面２１側に形成されるため、生理用ナプキン包装体１を図３のように折り畳んだ状態においては、賦香部２５が包装シート２０の内側に折り込まれることから、香りが外部に移りにくくなる。特に、包装シート２０の材料としてフィルムや、ＳＭＳ不織布（スパンボンド-メルトブローン-スパンボンド不織布）を用いた場合には、顕著な効果を得ることができる。フィルムの表面や、ＳＭＳ不織布のメルトブローン層は香料の粒子を透過させにくい性質を有するため、包装シート２０の内側（包装面２１側）に付着している香料が外側に移動することが抑制されやすくなるからである。
【００６０】
＜ナプキン１０の変形例＞
生理用ナプキン包装体１を構成するナプキン１０の一例として、図１に示される形状の生理用ナプキンについて説明したが、生理用ナプキンはその用途に応じて様々な形状を有する場合がある。以下では、生理用ナプキン包装体１の変形例として、ナプキン１０の形態が異なる場合について説明する。
【００６１】
図８Ａ及び図８Ｂは、生理用ナプキン１０の変形例について説明する図である。図８Ａでは、生理用ナプキン１０の縦方向中央部付近において、表面層１２及び裏面層１３が横方向両端部から外側に延出してなる羽部１５が設けられている。羽部１５の裏面層１３側には、粘着部１３１と同様にＨＭＡ等の接着剤が塗布された羽部粘着部１５１が設けられている。ナプキン１０を使用する際には、ナプキン１０の粘着部１３１を下着の股下部内側に貼付した後、羽部１５を裏面層１３側に折り曲げて羽部粘着部１５１を下着の股下部外側に貼付する。これにより、粘着部１３１と羽部粘着部１５１とで下着の股下部を挟み込むようにしてナプキン１０が固定され、使用時の位置ずれ等を抑制しやすくなる。また、図８Ｂでは、羽部１５を有するのに加えて、ナプキン１０の縦方向の後側の領域において、表面層１２及び裏面層１３が横方向及び縦方向に広がった臀部カバー１６が設けられている。臀部カバー１６は、ナプキン１０の使用時において使用者の臀部を広く覆うことで、当該臀部において体液等の液体がナプキン１０の外側に漏出することを抑制し、下着を汚してしまう等の問題を生じにくくすることができる。
【００６２】
図９Ａ〜図９Ｄは、変形例の場合の生理用ナプキン包装体１の折り畳み方の一例について説明する図である。なお、図９Ａ〜図９Ｄでは羽部１５を有するナプキン１０の例として図８Ａで示された形態のナプキンについて説明するが、図８Ｂに示される臀部カバー１６を有する形態のナプキンやその他の形態のナプキンについても、本変形例を適用することが可能である。
【００６３】
ナプキン１０が羽部１５を有する場合には、生理用ナプキン包装体１を折り畳む際に剥離シート５０が用いられる。剥離シート５０は、羽部粘着部１５１に対して剥離可能に貼付されるシート部材であり、粘着部１３１に対するセパレーター３０と同様の機能を有する。すなわち、羽部粘着部１５１の接着剤（ＨＭＡ等）が他の部分に付着することを抑制するとともに、羽部粘着部１５１の表面を保護する機能を有する。
【００６４】
図９Ａは、展開状態の生理用ナプキン包装体１を表す図である。変形例の生理用ナプキン包装体１では、第１折り目Ｆ１及び第２折り目Ｆ２に加えて、横方向に沿った第３折り目Ｆ３が設けられている。第３折り目Ｆ３は、第１折り目Ｆ１よりも縦方向の後側に配置されており、当該第３折り目Ｆ３にて、第１折り目Ｆ１や第２折り目Ｆ２と同様に包装シート２０、セパレーター３０、及び、生理用ナプキン１０が一緒に折り曲げられる。また、包装シート２０の第３折り目Ｆ３よりも縦方向後側の領域には、剥離シート５０が設けられている。剥離シート５０は一部の領域が包装シート２０の外面２２側に接着されており、包装シート２０の縦方向後側端部２０ｅｂから突出するように配置されている。剥離シート５０が包装シート２０と接着されていることにより、ナプキン１０の使用時において、展開した状態の生理用ナプキン包装体１から包装シート２０を引き剥がすことにより、同時に剥離シート５０もナプキン１０から容易に離脱させることができる。
【００６５】
図９Ｂは、展開状態の生理用ナプキン包装体１を第３折り目Ｆ３にて折り畳む様子を表す図である。同図９Ｂに示されるように、ナプキン１０は、第３折り目Ｆ３を基点として表面層１２が内側になるように折り畳まれ、包装シート２０の縦方向後側端部２０ｅｂから突出した剥離シート５０はナプキン１０の表面層１２と重なるような位置関係となる。また、このとき、羽部１５も内側（表面層１２の側）に折り畳まれ、羽部粘着部１５１が厚さ方向の肌側に露出した状態となる。
【００６６】
続いて、図９Ｃは、生理用ナプキン包装体１を図９Ｂの状態から第１折り目Ｆ１にて折り畳む様子を表す図である。第３折り目Ｆ３にて折り畳まれたナプキン１０は、第１折り目Ｆ１を基点としてさらに折り畳まれ、剥離シート５０のうち包装シート２０の縦方向後側端部２０ｅｂから突出した領域がナプキン１０の羽部１５の羽部粘着部１５１と重ね合わされる状態となる。すなわち、剥離シート５０の一部の領域が羽部粘着部１５１に貼付され、羽部粘着部１５１が保護される。最後に、ナプキン１０の表面層１２が内側となるように生理用ナプキン包装体１が第２折り目Ｆ２を基点として折り畳まれる。
【００６７】
図９Ｄは、変形例で折り畳まれた状態の生理用ナプキン包装体１を表す図である。折り畳まれた生理用ナプキン包装体１では、包装シート２０の横方向両端部が縦方向に沿ってシールされることにより、シール領域２７が形成される。そして、包装シート２０の横方向中央部に固定テープ２８が貼付される。
【００６８】
上述の実施形態では、生理用ナプキン包装体１が第１折り目Ｆ１及び第２折り目Ｆ２の２箇所で折り畳まれているのに対して（図２参照）、変形例の場合は、生理用ナプキン包装体１が第１折り目Ｆ１〜第３折り目Ｆ３の３箇所で折り畳まれる。なお、このような折り畳み方は一例であり、生理用ナプキン包装体１が４箇所以上の折り目を有するように折り畳まれるのであっても良い。
【００６９】
図１０は、変形例でセパレーター３０が設けられていない場合に実際に形成される賦香部２５の具体例について説明する図である。ナプキン１０が羽部１５を有する場合でも、包装シート２０の包装面２１において粘着部１３１と対向する領域とシール領域２７との間の領域に、斜線部で表示されるような横方向にＨ１の幅を有する賦香部２５が形成される。また、図１１は、変形例でセパレーター３０が設けられている場合に実際に形成される賦香部２５の具体例について説明する図である。セパレーター３０によって粘着部１３１が覆われているため、包装シート２０の包装面２１において接着部４１とシール領域２７との間の領域に、斜線部で表示されるような横方向にＨ３の幅を有する賦香部２５が形成される。
【００７０】
このような領域に賦香部２５が形成されていれば、生理用ナプキン包装体１を折り畳む際に賦香部２５と粘着部１３１（または接着部４１）とが接触せず、粘着部１３１（接着部４１）の粘着力が低下することが抑制される。また、賦香部２５は折り畳まれた包装シート２０の内側に設けられるため、生理用ナプキン包装体１の外部に香りが移ってしまうことが抑制される。
【００７１】
なお、変形例の場合も、図５Ｂで説明したように、ナプキン１０の横方向端部の位置と、シール領域２７との間に挟まれた領域に賦香部２５が形成されるのであっても良い。すなわち、賦香部２５と粘着部１３１または接着部４１との間に横方向のクリアランスが設けられるようにしても良い。
【００７２】
また、図１１に示されるように、変形例では、第３折り目Ｆ３を挟んで縦方向に２Ｌの長さを有する範囲に賦香部２５Ｅが形成されている。図１２は、図９ＤのＢ−Ｂ断面について表した概略断面図である。同図１２は生理用ナプキン包装体１が折り畳まれた状態について表しているが、このとき、第３折り目Ｆ３と包装シート２０の縦方向後側端部２０ｅｂとの間の黒塗り部分の領域に賦香部２５Ｅが形成される。賦香部２５Ｅは、粘着部１３１（または接着部４１）と接触せず、かつ、折り畳まれた包装シート２０の内側となるように形成される。すなわち、賦香部２５Ｅは、折り畳まれることによって対向する包装シート２０同士の間に挟まれた領域に形成される。このように賦香部２５Ｅを包装シート２０の内側に形成することにより、当該賦香部２５Ｅは包装シート２０によって覆われた状態となるため、生理用ナプキン包装体１の外側に香りが漏れにくくなる。さらに、第３折り目Ｆ３と縦方向後側端部２０ｅｂとの間の領域において、賦香部２５Ｅの厚さ方向の両側は、それぞれナプキン１０、セパレーター３０、及び包装シート２０によって覆われている。言い換えると、賦香部２５Ｅは厚さ方向について複数の部材によって覆われている。したがって、賦香部２５Ｅの香りは外側に漏れにくくなる。
【００７３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７４】
＜賦香部の形成について＞
上述の実施形態では、包装シート２０の包装面２１側に賦香部２５を形成する際に、インクジェットプリンター等の液体吐出装置を用いて香料を吐出することにより包装面２１の所定の領域に香料を付着させる方法が説明されていたが、賦香部２５の形成方法はこの限りではない。例えば、刷毛等を用いて包装面２１に香料を直接塗布する方法であっても良い。また、薄膜状のシート部材にあらかじめ香料を付着させておき、香料が付着した当該シート部材を包装面２１の所定の領域に貼り付ける方法等であっても良い。いずれにしても、包装シート２０の包装面２１側の所定の領域に香料を付着させ、安定的に保持させることによって賦香部２５が形成される。
【００７５】
＜生理用ナプキン包装体１の折り畳み方法について＞
上述の実施形態では、横方向に沿った複数の折り目を基点として生理用ナプキン包装体１が縦方向に折り畳まれる例について説明されていたが、生理用ナプキン包装体１の折り畳み方はこの限りではない。例えば、生理用ナプキン包装体１が縦方向に沿った折り目を基点として横方向に折り畳まれるのであっても良いし、縦方向及び横方向の両方に折り畳まれるのであっても良い。
【００７６】
＜剥離シート５０について＞
上述の実施形態では、ナプキン１０が羽部１５を有する場合に、羽部１５の裏面層１３側に形成される羽部粘着部１５１を保護するために剥離シート５０が設けられているが、剥離シート５０の形状は上述の実施形態で説明された例には限られない。例えば、展開状態の生理用ナプキン包装体１において、剥離シート５０とセパレーター３０と接着された状態で、剥離シート５０が羽部粘着部１５１を覆うようにナプキン１０の裏面層１３側に配置されており、生理用ナプキン包装体１を折り畳む際には、剥離シート５０が羽部１５と一体的にナプキン１０の内側に折り曲げられるような構成であっても良い。
【００７７】
また、剥離シート５０とセパレーター３０とが一つの部品として形成され、セパレーター３０によって粘着部１３１と羽部粘着部１５１とが共に保護されるような構成であっても良い。
【００７８】
＜香料の濃度について＞
上述の実施形態では、包装シート２０の包装面２１側の所定の領域に香料を付着させることによって賦香部２５が形成されていたが、包装面２１の単位面積当たりに付着する香料の量を領域毎に変更しても良い。すなわち、賦香部２５で領域毎に香料の濃度が異なるようにしても良い。例えば、包装シート２０において横方向の内側ほど単位面積当たりの香料の付着量が多くなり（すなわち濃度が高くなり）、横方向の外側ほど単位面積当たりの香料の付着量が少なくなる（すなわち濃度が低くなる）ように賦香部２５を形成する。このようにすれば、生理用ナプキン包装体１が折り畳まれた状態で、生理用ナプキン包装体１の外部に近い位置ほど香料の濃度が低くなり、生理用ナプキン包装体１の外部から遠い位置（すなわち内側）ほど香料の濃度が高くなるため、外部に香りが漏れにくくなり、鞄等に香りが移ることを抑制しやすくなる。
【００７９】
また、生理用ナプキン包装体１が折り畳まれた状態において、厚さ方向の内側となる領域ほど香料の濃度を高くなるようにしても良い。言い換えると、厚さ方向の外側よりも厚さ方向の内側の方が包装シート２０に付着する単位面積当たりの香料の量が多くなるようにしても良い。例えば、図１２で説明したように、Ｆ３と２０ｅｂとの間の領域では、厚さ方向に多数の部材（ナプキン１０、セパレーター３０、及び包装シート２０）が重なり合っていることから、さらにその内側に配置されている賦香部２５Ｅでは外部に香りが漏れる可能性が低い。そこで、このような厚さ方向の内側の領域ほど香料の濃度が高くなるように賦香部２５を形成すると良い。
【００８０】
特に、本実施形態のようにインクジェットプリンターを用いて香料インクを吐出する方法であれば、賦香部２５を形成する際に、香料インクを吐出するノズル毎に濃度を変更することが可能であるため、包装シート２０所定の領域に所定の濃度で香料を付着させることができる。したがって、賦香部２５を形成する際に香料の濃度を調整することを容易に行うことができる。
【符号の説明】
【００８１】
１  生理用ナプキン包装体、
１０  生理用ナプキン、
１１  吸収体、１２  表面層、１３  裏面層、１３１  粘着部、
１５  羽部、１５１  羽部粘着部、１６  臀部カバー、
２０  包装シート、２０ｅａ  縦方向前側端部、２０ｅｂ  縦方向後側端部、
２１  包装面、２２  外面、２５  賦香部、２５Ｅ  賦香部、
２７  シール領域、２８  固定テープ、
３０  セパレーター、３１  剥離面、３２  接着面、
４１  接着部、
５０  剥離シート
【図１】
0006412726.tif 000002
【図２】
0006412726.tif 000003
【図３】
0006412726.tif 000004
【図４】
0006412726.tif 000005
【図５】
0006412726.tif 000006
【図６】
0006412726.tif 000007
【図７】
0006412726.tif 000008
【図８】
0006412726.tif 000009
【図９】
0006412726.tif 000010
【図１０】
0006412726.tif 000011
【図１１】
0006412726.tif 000012
【図１２】
0006412726.tif 000013